(57)【要約】【課題】本発明は、従来にない極めて実用的な回転処理装置を提供することを目的とする。【解決手段】開閉蓋４が開閉動自在に設けられた開口部３を有する装置本体２に、前記開口部３を介して出し入れされる被回転処理物Ｘを回転処理する回転処理部１と、この回転処理部１に圧接させることで摩擦抵抗により該回転処理部１の回転を停止するブレーキ構造部10とが設けられたものである。【選択図】図１
2018122240.tif 000002
【特許請求の範囲】
【請求項１】
開閉蓋が開閉動自在に設けられた開口部を有する装置本体に、前記開口部を介して出し入れされる被回転処理物を回転処理する回転処理部と、この回転処理部に圧接させることで摩擦抵抗により該回転処理部の回転を停止するブレーキ構造部とが設けられた回転処理装置であって、前記ブレーキ構造部は、前記装置本体に対して可動自在にして手動で可動することで前記ブレーキ構造部の摩擦抵抗部を圧接動させるブレーキ操作ハンドルを具備し、このブレーキ操作ハンドルには、閉塞状態の前記開閉蓋若しくは開放作動時の前記開閉蓋に当接することで該開閉蓋の開放動を阻止して閉塞状態を保持する閉塞状態保持部が設けられ、この閉塞状態保持部は、前記ブレーキ操作ハンドルのブレーキ操作可動に伴い、前記開閉蓋に対する閉塞状態保持状態が解除される位置まで移動可能に設けられるとともに、前記回転処理部へのブレーキを解除する前記ブレーキ操作ハンドルの戻し可動に伴い、前記開閉蓋に対する閉塞状態保持状態が解除される位置から閉塞状態保持状態となる位置まで移動可能に設けられていることを特徴とする回転処理装置。
【請求項２】
前記閉塞状態保持部における前記開閉蓋に対する閉塞状態保持状態において、前記開口部を介して前記回転処理部への手若しくは前記被回転処理物の出し入れができない位置で前記開閉蓋の開放動が阻止されるように構成されていることを特徴とする請求項１記載の回転処理装置。
【請求項３】
前記開閉蓋は前記装置本体に起伏開閉回動自在に設けられ、前記閉塞状態保持部は前記開閉蓋の外面部に添設状態に設けられており、前記開閉蓋に当接することで該開閉蓋の開放動を阻止するように構成されていることを特徴とする請求項１，２のいずれか１項に記載の回転処理装置。
【請求項４】
前記閉塞状態保持部は、前記ブレーキ操作ハンドルの握持部を前記開閉蓋に添設状態に設けて構成されていることを特徴とする請求項１〜３のいずれか１項に記載の回転処理装置。
【請求項５】
前記ブレーキ構造部は、前記回転処理部の回転軸に添設されるベルト部材を有し、このベルト部材は、前記ブレーキ操作ハンドルの可動に伴い前記回転軸に対して圧接動する前記摩擦抵抗部であることを特徴とする請求項１〜４のいずれか１項に記載の回転処理装置。
【請求項６】
前記ブレーキ操作ハンドルを戻し可動方向へ付勢する付勢部を有することを特徴とする請求項１〜５のいずれか１項に記載の回転処理装置。
【請求項７】
前記回転処理部は、被回転処理物から含有水分を遠心分離する脱水処理が行われるように構成されていることを特徴とする請求項１〜６のいずれか１項に記載の回転処理装置。
【発明の詳細な説明】
【技術分野】
【０００１】
本発明は、回転処理装置に関するものである。
【背景技術】
【０００２】
従来から、種籾の脱水に使用する装置として、例えば特開平８−９７１３に開示されるような種籾脱水装置が種々提案されている。
【０００３】
これら種籾脱水装置は、上部開口部を有する装置本体に、この上部開口部を介して出し入れされる種籾（袋詰めされたもの）を回転処理する回転ドラムが設けられた構造であり、種籾を収納した回転ドラムを高速回転させることで、種籾に含有される水分を遠心分離するものである。
【０００４】
ところで、前述したように高速回転する回転ドラムがむき出し状態であると、例えば回転する回転ドラム内に誤って手を入れてしまう場合があり危険である。
【０００５】
そこで、従来においても、前述した危険を防止すべく、上部開口部を閉塞する開閉蓋を設け、更に、この開閉蓋を開放させる動作でＯＮ状態となって回転ドラムを停止させるブレーキ装置が自動で作動するように電子制御されたタイプの脱水装置（以下、従来例という。）が提案されている。
【先行技術文献】
【特許文献】
【０００６】
【特許文献１】特開平８−９７１３号公報
【発明の概要】
【発明が解決しようとする課題】
【０００７】
しかしながら、従来例は、開閉蓋を開放しても暫く惰性で回る構造であり十分とは言えず（ユーザーが作業を急ぐあまり回転ドラムが完全に止まっていないにもかかわらず開閉蓋を開放した直後に手を入れてしまう危険が危惧される。）、しかも、ブレーキ装置を自動で作動させる構造（電子制御構造）が製造コストアップの原因となる。
【０００８】
本発明は、前述した問題点を解消する、従来にない極めて実用的な回転処理装置を提供するものである。
【課題を解決するための手段】
【０００９】
添付図面を参照して本発明の要旨を説明する。
【００１０】
開閉蓋４が開閉動自在に設けられた開口部３を有する装置本体２に、前記開口部３を介して出し入れされる被回転処理物Ｘを回転処理する回転処理部１と、この回転処理部１に圧接させることで摩擦抵抗により該回転処理部１の回転を停止するブレーキ構造部10とが設けられた回転処理装置であって、前記ブレーキ構造部10は、前記装置本体２に対して可動自在にして手動で可動することで前記ブレーキ構造部10の摩擦抵抗部11を圧接動させるブレーキ操作ハンドル５を具備し、このブレーキ操作ハンドル５には、閉塞状態の前記開閉蓋４若しくは開放作動時の前記開閉蓋４に当接することで該開閉蓋４の開放動を阻止して閉塞状態を保持する閉塞状態保持部６が設けられ、この閉塞状態保持部６は、前記ブレーキ操作ハンドル５のブレーキ操作可動に伴い、前記開閉蓋４に対する閉塞状態保持状態が解除される位置まで移動可能に設けられるとともに、前記回転処理部１へのブレーキを解除する前記ブレーキ操作ハンドル５の戻し可動に伴い、前記開閉蓋４に対する閉塞状態保持状態が解除される位置から閉塞状態保持状態となる位置まで移動可能に設けられていることを特徴とする回転処理装置に係るものである。
【００１１】
また、前記閉塞状態保持部６における前記開閉蓋４に対する閉塞状態保持状態において、前記開口部３を介して前記回転処理部１への手若しくは前記被回転処理物Ｘの出し入れができない位置で前記開閉蓋４の開放動が阻止されるように構成されていることを特徴とする請求項１記載の回転処理装置に係るものである。
【００１２】
また、前記開閉蓋４は前記装置本体２に起伏開閉回動自在に設けられ、前記閉塞状態保持部６は前記開閉蓋４の外面部に添設状態に設けられており、前記開閉蓋４に当接することで該開閉蓋４の開放動を阻止するように構成されていることを特徴とする請求項１，２のいずれか１項に記載の回転処理装置に係るものである。
【００１３】
また、前記閉塞状態保持部６は、前記ブレーキ操作ハンドル５の握持部５ａを前記開閉蓋４に添設状態に設けて構成されていることを特徴とする請求項１〜３のいずれか１項に記載の回転処理装置に係るものである。
【００１４】
また、前記ブレーキ構造部10は、前記回転処理部１の回転軸１Ｂ’に添設されるベルト部材11を有し、このベルト部材11は、前記ブレーキ操作ハンドル５の可動に伴い前記回転軸１Ｂ’に対して圧接動する前記摩擦抵抗部11であることを特徴とする請求項１〜４のいずれか１項に記載の回転処理装置に係るものである。
【００１５】
また、前記ブレーキ操作ハンドル５を戻し可動方向へ付勢する付勢部８を有することを特徴とする請求項１〜５のいずれか１項に記載の回転処理装置に係るものである。
【００１６】
また、前記回転処理部１は、被回転処理物Ｘから含有水分を遠心分離する脱水処理が行われるように構成されていることを特徴とする請求項１〜６のいずれか１項に記載の回転処理装置に係るものである。
【発明の効果】
【００１７】
本発明は上述のように構成したから、前述した従来例に比して安全であり、しかも、簡易構造故にコスト安にして量産性に優れるなど、従来にない非常に実用的な回転処理装置となる。
【図面の簡単な説明】
【００１８】
【図１】本実施例を示す斜視図である。
【図２】本実施例を示す斜視図である。
【図３】本実施例の要部の説明図である。
【図４】本実施例の要部の動作説明図である。
【図５】本実施例の要部の動作説明図である。
【図６】本実施例の要部の動作説明図である。
【発明を実施するための形態】
【００１９】
好適と考える本発明の実施形態（発明をどのように実施するか）を、図面に基づいて本発明の作用を示して簡単に説明する。
【００２０】
本発明を使用して被回転処理物Ｘを回転処理する場合、ブレーキ操作ハンドル５を可動させると、閉塞状態保持部６は開閉蓋４に対する閉塞状態保持状態が解除される位置まで移動する。この際、回転処理部１はブレーキ構造部10によりブレーキがかかった状態となり、また、開閉蓋４は開口部３を介して回転処理部１へ被回転処理物Ｘを収納できる位置まで開放動できる状態となる。この状態で開閉蓋４を開放して被回転処理物Ｘを回転処理部１へ収納する。
【００２１】
従って、安全な状態で回転処理部１へ被回転処理物Ｘを収納することができる。
【００２２】
続いて、開閉蓋４を閉塞動させて閉塞状態とし、ブレーキ操作ハンドル５が戻し可動すると、閉塞状態保持部６は開閉蓋４に対する閉塞状態保持状態が解除される位置から閉塞状態保持状態となる位置まで移動する。この際、回動処理部１に対するブレーキ構造部10のブレーキは解除された状態となり、また、開閉蓋４は閉塞状態保持部６により開放動が阻止された状態となる。この状態で回転処理部１を回転させて被回転処理物Ｘを回転処理する。
【００２３】
この回転処理部１による回転処理が終了した後、回転処理部１から被回転処理物Ｘを取り出す場合、閉塞状態の開閉蓋４若しくは開放作動時の開閉蓋４に開閉動阻止部６が当接して開放動が阻止される為、例えば開口部３を介して回転処理部１から被回転処理物Ｘを取り出そうとしても開閉蓋４を開放することができない。
【００２４】
そこで、開閉蓋４を開放すべく、この開閉蓋４の開放動を阻止する閉塞状態保持部６が設けられたブレーキ操作ハンドル５を可動させると、閉塞状態保持部６は開閉蓋４に対する閉塞状態保持状態が解除される位置まで移動する。この際、回転処理部１はブレーキ構造部10によりブレーキがかかった状態となり、また、開閉蓋４は開口部３を介して回転処理部１へ被回転処理物Ｘを収納できる位置まで開放動できる状態となる。この状態で開閉蓋４を開放して被回転処理物Ｘを回転処理部１から取り出す。
【００２５】
つまり、開閉蓋４を開放した際には既に回転処理部１にはブレーキがかかり確実に回転処理部１の回転は停止している。
【００２６】
従って、開閉蓋４を開放した際には回転処理部１は確実に停止している為、回転処理部１が回転している状態で手を入れることが防止され極めて安全であり、しかも、この開閉蓋４の開放動を阻止する構造をブレーキ操作ハンドル５に兼用して具備せしめた効率の良い構造である。また、本発明のブレーキ構造部10は従来例のような電子制御構造ではなく、よって、簡易構造故にコスト安にして量産性に優れることになる。
【実施例】
【００２７】
本発明の具体的な実施例について図面に基づいて説明する。
【００２８】
本実施例は、開閉蓋４が開閉動自在に設けられた開口部３を有する装置本体２に、開口部３を介して出し入れされる被回転処理物Ｘを回転処理する回転処理部１と、この回転処理部１に圧接させることで摩擦抵抗により該回転処理部１の回転を停止するブレーキ構造部10とが設けられた回転処理装置である。尚、本実施例では、図２に図示したように被回転処理物Ｘとして多数の種籾Ｘ１を脱水用の袋Ｘ２に入れた状態のものを採用し、種籾脱水処理用の装置として構成しているが、例えばその他の脱水処理装置であったり、脱穀処理装置であったりなど、本実施例の特性を発揮する構成（回転処理を行う構成）であれば適宜採用されるものである。
【００２９】
以下、本実施例に係る構成各部について詳細な説明をする。
【００３０】
装置本体２は、図１，２に図示したように適宜な金属製の部材で形成された平面視方形状の縦長ボックス形状体であり、下面部四隅に脚部２ａが設けられている。
【００３１】
また、装置本体２の上面部には方形状の開口部３が設けられている。
【００３２】
この開口部３は、装置本体２内に設けられる回転処理部１の上部開口部１ａが近接され、この開口部３を介して回転処理部１に被回転処理物Ｘを出し入れ可能に構成されている。
【００３３】
また、装置本体２の上面部の後端側縁部には、開閉蓋４が装置本体２の前後方向に起伏回動自在に設けられており、この開閉蓋４により開口部３は開閉自在となる。
【００３４】
また、装置本体２内には回転処理部１が設けられている。
【００３５】
この回転処理部１は、被回転処理物Ｘを収納する回転ドラム１Ａと、この回転ドラム１Ａの下部に連設する駆動源１Ｂとで構成されている。
【００３６】
回転ドラム１Ａは、図２に図示したように適宜な金属製の部材で形成された有底円筒状体であり、上部開口部１ａを有し周面には脱水孔１Ａ’が無数に設けられている。
【００３７】
従って、この回転ドラム１Ａに被回転処理物Ｘ（種籾Ｘ１）を収納して後述する駆動源１Ｂを作動させて回転させることで、被回転処理物Ｘ（種籾Ｘ１）の含有水分が遠心分離され、脱水される。符号１ｂは被回転処理物Ｘ（種籾Ｘ１）から脱水された水を排水する排水ホースである。
【００３８】
駆動源１Ｂは、図２，３，４に図示したように電動モーター（高速回転モーター）であり、タイマー制御されて設定時間に応じて作動するように構成されている。
【００３９】
また、駆動源１Ｂの回転軸１Ｂ’は回転ドラム１Ａの下面中央部に連結されている。
【００４０】
また、装置本体２の下部には、回転処理部１の回転を停止するブレーキ構造部10が設けられている。
【００４１】
このブレーキ構造部10は、回転処理部１に摩擦抵抗部11を圧接させることで摩擦抵抗により該回転処理部１の回転を停止するものである。
【００４２】
具体的には、回転処理部１の回転軸１Ｂ’の周囲に添設される摩擦抵抗部11としてのベルト部材11と、このベルト部材11を回転軸１Ｂ’に対して接離移動自在とする作動構造部12とで構成されている。
【００４３】
具体的には、ベルト部材11は、図３，４に図示したように適度な柔軟性を有する合成樹脂製の部材（ゴム部材）で形成されたものであり、ベルト部材11の一端部は装置本体２（第一固定部材２ｂ）に連結固定され、ベルト部材11の中央部は回転軸１Ｂ’の周囲に折り返し状に添設され、ベルト部材11の他端部は作動構造部12に連結される。
【００４４】
このベルト部材11は、常態においては回転軸１Ｂ’に対して非接触状態であり、作動構造部12のブレーキ作動により回転軸１Ｂ’に巻き付いて接触状態（圧接状態）となる。この回転軸１Ｂ’に対してベルト部材11が巻き付き接触する際に生じる摩擦抵抗により回転軸１Ｂ’にブレーキ作用が生じる。
【００４５】
作動構造部12は、図３，４に図示したように適宜な金属製の部材で形成されたものであり、ベルト部材11の他端部に連結される作動部12ａと、この作動部12ａに後述するブレーキ操作ハンドル５の可動力を伝達する可動力伝達部12ｂとで構成されている。
【００４６】
作動部12ａは、所定長さを有する長尺体で構成され、中央部が装置本体２（第二固定部材２ｃ）に枢着され、一端部にはベルト部材11が連結され、他端部には可動力伝達部12ｂが連結されており、この作動部12ａの作動によりベルト部材11が回転軸１Ｂ‘に巻き付き接触したり、この巻き付き接触が解除される（非接触状態となる）ように構成されている。尚、ブレーキ操作ハンドル５を前方へ可動（擺動）させる程、回転軸１に対するベルト部材11（摩擦抵抗部）の圧接力が強くなるように構成されている。
【００４７】
可動力伝達部12ｂは、装置本体２（第二固定部材２ｃ）に進退移動自在に連結される移動部材12ｂ’と、この移動部材12ｂ’に連結されるリンク部材12ｂ”とで構成されている。
【００４８】
移動部材12ｂ’は、一端部が作動部12の他端部に連結され、他端部がリンク部材12ｂ”に連結されており、ブレーキ操作ハンドル５の可動力をリンク部材12ｂ”を介して進退移動するように構成されている。
【００４９】
また、移動部材12ｂ’には付勢部材８（コイルバネ）が被嵌されており、この付勢部材８は、ブレーキ操作ハンドル５を戻し可動方向へ付勢する付勢部８として構成されている。
【００５０】
従って、この付勢部８により、常にベルト部材11は回転軸１Ｂ’から離反する方向（ブレーキ操作ハンドル５は戻し可動方向）に付勢されており、本実施例では、開閉蓋４に対する閉塞状態保持部６の閉塞状態保持状態が解除される位置から閉塞状態保持状態となる位置までブレーキ操作ハンドル５が移動するように付勢されている。
【００５１】
リンク部材12ｂ”は、ブレーキ操作ハンドル５の基端部（下端部）と移動部材12ｂ’の基端部との間に設けられ、ブレーキ操作ハンドル５の可動力（枢着回転力）を移動部材12ｂ’を進退移動させる力に変換している。
【００５２】
ブレーキ操作ハンドル５は、図１，２に図示したように適宜な金属製の部材で形成された棒状体であり、下端部が装置本体２に枢着され該装置本体２の左右側面のうち一方の外側面に添設状態となる立ち上がり部５Ａと、この立ち上がり部５ｂの上端部にコーナー部を介して連設され、装置本体２の上面部に添設状態となる握持部５ａとで構成されており、立ち上がり部５ｂは装置本体２の側面に沿う状態で前後方向に可動自在（擺動自在）に設けられている。
【００５３】
また、ブレーキ操作ハンドル５の下端部（回転軸部５ｃ）は前述した可動力伝達部12ｂのリンク部材12ｂ”に連結されている。
【００５４】
ブレーキ操作ハンドル５の上端部には、握持部５ａが設けられている。
【００５５】
この握持部５ａは、図１，２に図示したように適宜な合成樹脂製の部材で形成したグリップ部材を上端部に被嵌装着して構成されており、この握持部５ａを握持してブレーキ操作ハンドル５を前後方向に擺動させた際、ブレーキ構造部10のブレーキ作動とブレーキ作動解除とが行われる。
【００５６】
具体的には、ブレーキ操作ハンドル５を前方（手前側）へ操作するとブレーキがかかり、ブレーキ操作ハンドル５を後方（奥側）へ戻し操作すると、ブレーキが解除される。
【００５７】
本実施例では、このブレーキ操作ハンドル５における後方（奥側）への戻し可動は、付勢部８の付勢によっても行われ、よって、握持部５ａを握持した手を離すとブレーキ操作ハンドル５は自動で戻し可動することになる。尚、開閉蓋４に対する閉塞状態保持状態が解除される位置に閉塞状態保持部６が位置する際のブレーキ操作ハンドル５の戻し可動を阻止するロック構造を設けても良い。
【００５８】
また、握持部５ａは、ブレーキ操作ハンドル５の前後方向への可動に伴い、開閉蓋４の上面上方位置を前後方向に移動するように構成されており、この握持部５ａが開閉扉４の上面上方位置にいる間は閉塞状態の開閉蓋４及び開放作動時の開閉扉に当接することで該開閉蓋４の開放動を阻止する閉塞状態保持部６として構成されている。
【００５９】
具体的には、この閉塞状態保持部６は、ブレーキ操作ハンドル５を後方に位置させた状態（ブレーキ解除状態）の場合には、開閉蓋４に当接することで該開閉蓋４の開放動を阻止した状態であり、ブレーキ操作ハンドル５のブレーキ操作に伴い、開閉蓋４に対する閉塞状態保持状態が解除される位置まで移動可能に設けられている。
【００６０】
尚、本実施例では、ブレーキ操作ハンドル５を最大限後方に位置させた状態において、閉塞状態保持部６は開閉蓋４に当接するように構成されているが、閉塞状態保持部６は開閉蓋４に当接していなくても良く、閉塞状態保持部６が開放作動時の開閉蓋４に当接することで該開閉蓋４に対する閉塞状態保持状態が得られる構成としても良い。
【００６１】
また、閉塞状態保持部６は、回転処理部１へのブレーキを解除するブレーキ操作ハンドル５の戻し操作に伴い、開閉蓋４に対する閉塞状態保持状態が解除される位置から閉塞状態保持状態となる位置まで移動可能に設けられている。
【００６２】
尚、本実施例では、閉塞状態保持部６を握持部５ａで構成したが、この握持部５ａとは別途に閉塞状態保持部専用の凸状部などをブレーキ操作ハンドル５に設けるようにしても良い。
【００６３】
本実施例は上述のように構成したから、本実施例を使用して被回転処理物Ｘを回転処理する場合、ブレーキ操作ハンドル５を可動させると、閉塞状態保持部６は開閉蓋４に対する閉塞状態保持状態が解除される位置まで移動する。この際、回転処理部１はブレーキ構造部10によりブレーキがかかった状態となり、また、開閉蓋４は開口部３を介して回転処理部１へ被回転処理物Ｘを収納できる位置まで開放動できる状態となる。この状態で開閉蓋４を開放して被回転処理物Ｘを回転処理部１へ収納する。
【００６４】
従って、安全な状態で回転処理部１へ被回転処理物Ｘを収納することができる。
【００６５】
続いて、開閉蓋４を閉塞動させて閉塞状態とし、ブレーキ操作ハンドル５が戻し可動すると、閉塞状態保持部６は開閉蓋４に対する閉塞状態保持状態が解除される位置から閉塞状態保持状態となる位置まで移動する。この際、回動処理部１に対するブレーキ構造部10のブレーキは解除された状態となり、また、開閉蓋４は開口部３を介して回転処理部１への被回転処理物Ｘの出し入れができない位置で開放動が阻止された状態となる。この状態で回転処理部１を回転させて被回転処理物Ｘを回転処理する。
【００６６】
この回転処理が終了した後、回転処理部１から被回転処理物Ｘを取り出す場合、開閉蓋４には開閉動阻止部６が当接して開放動が阻止される為、開口部３を介して回転処理部１から被回転処理物Ｘを取り出そうとしても開閉蓋４を開放することができない（図５参照）。
【００６７】
そこで、開閉蓋４を開放すべく、この開閉蓋４の開放動を阻止する閉塞状態保持部６が設けられたブレーキ操作ハンドル５を可動させると、閉塞状態保持部６は開閉蓋４に対する閉塞状態保持状態が解除される位置まで移動する（図６参照）。この際、回転処理部１はブレーキ構造部10によりブレーキがかかった状態となり、また、開閉蓋４は開口部３を介して回転処理部１へ被回転処理物Ｘを収納できる位置まで開放動できる状態となる。この状態で開閉蓋４を開放して被回転処理物Ｘを回転処理部１から取り出す。
【００６８】
つまり、開閉蓋４を開放した際には既に回転処理部１にはブレーキがかかり確実に回転処理部１の回転は停止している。
【００６９】
よって、本実施例によれば、開閉蓋４を開放した際には回転処理部１は確実に停止している為、極めて安全であり、しかも、この開閉蓋４の開放動を阻止する構造をブレーキ操作ハンドル５に兼用して具備せしめた効率の良い構造である。
【００７０】
また、本実施例のブレーキ構造部10は従来例のような電子制御構造ではなく、よって、簡易構造故にコスト安にして量産性に優れることになる。
【００７１】
また、本実施例は、閉塞状態保持部６における開閉蓋４に対する閉塞状態保持状態において、開口部３を介して回転処理部１への手若しくは被回転処理物Ｘの出し入れができない位置で開閉蓋４の開放動が阻止されるように構成されているから、前述した作用効果が確実に奏されることになる。
【００７２】
また、本実施例は、開閉蓋４は装置本体２に起伏開閉回動自在に設けられ、閉塞状態保持部６は開閉蓋４の外面部に添設状態に設けられており、開閉蓋４に当接することで該開閉蓋４の開放動を阻止するように構成されているから、簡易構造で前述した作用効果が確実に奏されることになる。
【００７３】
また、本実施例は、閉塞状態保持部６は、ブレーキ操作ハンドル５の握持部５ａを開閉蓋４に添設状態に設けて構成されているから、この点においても簡易構造で前述した作用効果が確実に奏されることになる。
【００７４】
また、本実施例は、ブレーキ構造部10は、回転処理部１の回転軸１Ｂ’に添設されるベルト部材11を有し、このベルト部材11は、ブレーキ操作ハンドル５の可動に伴い回転軸１Ｂ’に対して圧接動する摩擦抵抗部11であるから、回転処理部１の回転を確実に停止することができる。
【００７５】
また、本実施例は、ブレーキ操作ハンドル５を戻し可動方向へ付勢する付勢部８を有するから、極めて操作性に優れることになる。
【００７６】
また、本実施例は、回転処理部１は、被回転処理物Ｘから含有水分を遠心分離する脱水処理が行われるように構成されているから、被回転処理物Ｘの脱水が安全に且つ良好に行われることになる。
【００７７】
尚、本発明は、本実施例に限られるものではなく、各構成要件の具体的構成は適宜設計し得るものである。
【符号の説明】
【００７８】
Ｘ  被回転処理物
１  回転処理部
１Ｂ’  回転軸
２  装置本体
３  開口部
４  開閉蓋
５  ブレーキ操作ハンドル
５ａ  握持部
６  閉塞状態保持部
８  付勢部
10  ブレーキ構造部
11  摩擦抵抗部・ベルト部材
【図１】
2018122240.tif 000003
【図２】
2018122240.tif 000004
【図３】
2018122240.tif 000005
【図４】
2018122240.tif 000006
【図５】
2018122240.tif 000007
【図６】
2018122240.tif 000008